(57)【要約】【課題】  ボウリング補助手袋を提供する。【解決手段】  均一な厚みのパットを接着し、親指受けパットとボウルストパーを接着した。【選択図】図１
2018094366.tif 000002
【特許請求の範囲】
【請求項１】
ボウリング補助手袋の手の平側に均一な厚みのパットを接着し、親指受パットとボウルストパーパットを接着した事を特徴とする。
【発明の詳細な説明】
【技術分野】
【０００１】  この発明はボウリング投球に祭しての補助手袋に関するものである。
【背景技術】
【０００２】  主に素手で投球の補助をしていた。
【発明の開示】
【発明が解決しようとする課題】
【０００３】  そのために、次の問題点があった。
（イ）ボウルをたぐり寄せるのに、不快感を覚えていた。
（ロ）一旦両手でボールを持って、回転させ指穴を探していた。
（ハ）両腕のバランスが取りづらかった。
【課題を解決する手段】
【０００４】  手袋にボウリングボールを、ホウルドさせる様反発弾性耐摩性のパットを均一な厚みで接着する。
ボウルが手の平からこぼれ落ちない様に、ボウルストッパーパットを接着する。
回転性や方向性を補なう親指パットに、親指受パットで回転や方向性を様いて、ボウリングボウルの指穴を探す事とが出来る。
【発明の効果】
【０００５】  本発明を使用する事によって、ボウリングボウルを、片手で一瞬上に浮かして、回転性や方向性を発性させる事とが出来る。
反発弾性パットを中心に置く事とで、ホウルド性をアップさせる事とが出来る。
指先のパットで、ボウリングボウルをたぐりよせる事とが出来る。
【発明を実施するための最良の形態】
【０００６】  以下、本発明の実施の形態について説明する。
ボウリング補助手袋（１）に、ボウルストパー（２）を接着する。
補助手袋（１）のホウルド性や反発弾性の方向、回転を補助する、指先補助パット（４）を接着する。
補助手袋（１）の中心に、センターパット（５）を接着し、その縁に、ボウルストパーパット（２）の先端部を接着した。
補助手袋（１）の指先上に、指先パット（３）を接着し、反発弾性を、発生させる。
補助手袋（１）上の、すべてのパットで、一瞬上にボールを浮かして親指受パット（６）で受け止める様にした。
【図面の簡単な説明】
【０００７】
【図１】本発明の平面図
【図２】本発明のストパーとパットの側面図
【図３】本発明で使用するボウルの平面図
【符号の説明】
【０００８】１  ボウリング補助手袋
２  ボウルストパーパット
３  指先パット
４  指先補助パット
５  センターパット
６  親指受パット
７  ボウリングボール
８  ボウリングの指穴
【図１】
2018094366.tif 000003
【図２】
2018094366.tif 000004
【図３】
2018094366.tif 000005
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
ボウリング補助手袋の手の平側に均一な厚みのパットを接着し，親指受けパットと，ボウルストパーを接着した事とを特徴とするボウリング補助手袋。
【手続補正２】
【補正対象書類名】明細書
【補正対象項目名】全文
【補正方法】変更
【補正の内容】
【発明の詳細な説明】
【技術分野】
【０００１】  この発明はボウリング投球に祭しての補助手袋に関するものである。
【背景技術】
【０００２】  主に素手で投球の補助をしていた。
【発明の開示】
【発明が解決しようとする課題】
【０００３】  そのために，次の問題点があった。
（イ）ボールを素手で手元に，たぐり寄せるのに不快感を覚えていた。
（ロ）主に，両手を使って指穴を探していた。
（ハ）両腕と投球の利き腕との身体の重量バランスを覚える機会が少なかった。
【課題を解決する手段】
【０００４】  手袋にボウリングボールを，ホウルドさせる様，反発弾性耐摩性のパットを均一な厚みで接着する。
ボールが手の平からこぼれ落ちない様に，ボールストッパーパットを接着する。
回転性や方向性を補う親指パットに，親指受けパットで回転や方向性を様いて，ボウリングボールの指穴を探す事とが出来る様にした。
【発明の効果】
【０００５】  本発明を使用する事によって，ボウリングボールを，片手で，一瞬，上に浮かして，回転性や方向性を発生させる事とが出来る。
反発弾性パットを中心に，置く事とで、利き腕との身体の重量バランスを覚える機会を得る。
指先のパットで，ボウリングボールをたぐり寄せる事とが出来る。
【発明を実施するための最良の形態】
【０００６】  以下，本発明の実施の形態について説明する。
ボウリング補助手袋（１）に，ボウルストパー（２）を接着する。
補助手袋（１）のホウルド性や反発弾性の方向，回転を補助する，指先補助パット（４）を接着する。
補助手袋（１）の中心に，センターパット（５）を接着し，その緑に，ボウルストパーパット（２）の先端部を接着した。
補助手袋（１）の指先上に，指先パット（３）を接着し，反発弾性を，発生させる。
補助手袋（１）上の，すべてのパットで，一瞬，上に，ボールを浮かして親指受けパット（６）で受け止める様にした。
【図面の簡単な説明】
【０００７】
【図１】本発明の平面図
【図２】本発明のストパーとパットの側面図
【図３】本発明で使用するボウルの平面図
【符号の説明】
【０００８】１  ボウリング補助手袋
２  ボウルストパーパット
３  指先パット
４  指先補助パット
５  センターパット
６  親指受パット
７  ボウリングボール
８  ボウリングの指穴
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
ボウリング補助手袋の手の平側に均一な厚みのパットを接着し，親指受けパットと，ボウルストパーを接着した事とを特徴とするボウリング補助手袋。
【手続補正書】
【提出日】平成30年2月15日(2018.2.15)
【手続補正１】
【補正対象書類名】明細書
【補正対象項目名】全文
【補正方法】変更
【補正の内容】
【発明の詳細な説明】
【技術分野】
【０００１】  この発明はボウリング投球に祭しての補助手袋に関するものである。
【背景技術】
【０００２】  主に素手で投球の補助をしていた。
【発明の開示】
【発明が解決しようとする課題】
【０００３】      そのために，次のような問題点があった。
（イ）ボールを素手で手元に，たぐり寄せるのに不快感を覚えていた。
（ロ）主に両手を使って指穴を探していた。
（ハ）両腕と投球の利き腕との身体の重量バランスを覚える機会が少なかった。
【課題を解決するための手段】
【０００４】  手袋にボウリングボールを，ホウルドさせるよう，反発弾性耐摩耗性のパットを均一な厚みで接着する。
ボールが手の平からこぼれ落ちないようボールストパーパット（２）を接着する。
回転性や方向性を補う親指パット（３）に，親指受けパット（６）で，回転性や方向性を発性させ，ボウリングボールの指穴を探す事とができるようにした。
【発明の効果】
【０００５】  本発明を仕様する事によって，ボウリングボールを，片手で，一瞬上に，浮かして，回転性や方向性を発生させる事とができる。
反発弾性パットを中心に，置く事とで，利き腕との身体の重量バランスを覚える機会を得る。
指先のパット（３）で，ボウリングボールをたぐり寄せる事とができる。
【発明を実施するための最良の形態】
【０００６】以下，本発明の実施の形態について説明する。
ボウリング補助手袋（１）に，ボウルストパー（２）を接着する。
補助手袋（１）のホウルド性や反発弾性の方向回転を補助する指先補助パット（４）を設ける。
補助手袋（１）の中心に，センターパット（５）を設ける。
補助手袋（１）の指先上に，指先パット（３）を設けて発弾性を発生させる。
補助手袋（１）上のすべてのパットで，一瞬上にボールを浮かして親指受けパット（６）で受け止めるようにした。
【図面の簡単な説明】
【０００７】
【図１】本発明の平面図
【図２】本発明のストパーとパットの側面図
【図３】本発明で仕様するボールの平面図
【符号の説明】
【０００８】１  ボウリング補助手袋
２  ボールストパーパット
３  指先パット
４  指先補助パット
５  センターパット
６  親指受けパット
７  ボウリングボール
８  ボウリングの指穴